(57)【要約】  細胞表面の抗体・抗原反応を利用することなく、循環癌細胞を識別する細胞の識別装置及び識別方法を提供する。  細胞の識別装置１０は、サンプル流１１Ｓを流すためのキャピラリ１５と、照射光Ｌを照射する照射部２０と、透過光Ｌ１を受光し透過光信号ＳＧ１として出力する受光部３０と、受光部３０から出力された透過光信号ＳＧ１を入力して細胞Ｓによる透過光信号ＳＧ１の変動を測定する測定部４０と、測定部４０によって測定された細胞Ｓによる透過光信号ＳＧ１の変動における極点の値に基づいて、細胞Ｓが末梢血細胞であるか否かを識別する識別部５０と、識別部５０の識別結果に基づいて細胞Ｓを所定の容器に分取する分取部６０と、キャピラリ１５にサンプル流１１Ｓを供給するための供給部７０と、を備えている。
2011121751.tif 000002
【特許請求の範囲】
【請求項１】
末梢血中の異なる細胞や細胞種を識別する細胞の識別装置であって、
末梢血中の前記細胞を分散させた液体に照射光を照射する照射部と、
前記照射光に対する前記細胞の相対位置が等速に変化する状態の前記液体に対して、前記照射部から照射された前記照射光による前記液体の透過光を受光して透過光信号として出力する、前記照射部と正対する位置に設けられた受光部と、
前記受光部から出力された前記透過光信号を入力し、前記細胞による前記透過光信号の変動を測定する測定部と、
前記測定部によって測定された前記細胞による前記透過光信号の変動における極点の値に基づいて、末梢血中の前記細胞を識別する識別部と、
を備えていることを特徴とする細胞の識別装置。
【請求項２】
前記識別部は、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする請求項１に記載の細胞の識別装置。
【請求項３】
前記識別部によって末梢血細胞以外の細胞であると識別された前記細胞は、循環癌細胞であることを特徴とする請求項１または２に記載の細胞の識別装置。
【請求項４】
前記細胞は、細胞表面抗体・抗原反応、細胞内の蛍光蛋白発現を含む蛍光処理が施された細胞であることを特徴とする請求項１乃至３のいずれか１項に記載の細胞の識別装置。
【請求項５】
前記測定部は、更に、前記透過光信号の変動から透過光情報を測定し、
前記識別部は、更に、前記測定部によって測定された前記透過光情報に基づいて、末梢血中の前記細胞を識別することを特徴とする請求項１乃至４のいずれか１項に記載の細胞の識別装置。
【請求項６】
前記照射部から照射された前記照射光による前記細胞の散乱光及び／または蛍光を受光して散乱・蛍光信号として出力する、前記照射部と正対する位置以外の位置に設けられた第２の受光部を、更に備え、
前記測定部は、更に、前記第２の受光部から出力された前記散乱・蛍光信号を入力して、前記細胞による前記散乱・蛍光信号の変動を測定し、
前記識別部は、更に、前記測定部によって測定された前記散乱・蛍光信号の変動に基づいて、末梢血中の前記細胞を識別することを特徴とする請求項１乃至５のいずれか１項に記載の細胞の識別装置。
【請求項７】
前記測定部は、更に、前記散乱・蛍光信号の変動から散乱・蛍光情報を測定し、
前記識別部は、更に、前記測定部によって測定された前記透過・蛍光情報に基づいて、末梢血中の前記細胞を識別することを特徴とする請求項１乃至６のいずれか１項に記載の細胞の識別装置。
【請求項８】
前記照射光は、非集光のシングルモード光であることを特徴とする請求項１乃至７のいずれか１項に記載の細胞の識別装置。
【請求項９】
前記識別部によって識別された末梢血中の前記細胞を、所定の容器に分取する分取部を、更に備えていることを特徴とする請求項１乃至８のいずれか１項に記載の細胞の識別装置。
【請求項１０】
末梢血中の細胞を分散させた液体に照射光を照射する照射部と、前記照射部と正対する位置に設けられた、透過光を受光して透過光信号として測定部に出力する受光部と、を用いた、末梢血中の細胞を識別する細胞の識別方法であって、
（ａ）前記照射光に対する前記細胞の相対位置が等速に変化する状態の前記液体に対して、前記照射部から前記照射光を照射する工程と、
（ｂ）前記受光部により前記照射光による前記液体の透過光を受光して透過光信号として前記測定部に出力する工程と、
（ｃ）前記工程（ｂ）によって出力された前記透過光信号を前記測定部で入力し、当該測定部において前記細胞による前記透過光信号の変動を測定する工程と、
（ｄ）前記工程（ｃ）によって測定された前記細胞による前記透過光信号の変動における極点の値に基づいて、末梢血中の前記細胞を識別する工程と、
を備えていることを特徴とする細胞の識別方法。
【請求項１１】
前記工程（ｄ）は、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする請求項１０に記載の細胞の識別方法。
【請求項１２】
前記工程（ｄ）によって末梢血細胞以外の細胞であると識別された前記細胞は、循環癌細胞であることを特徴とする請求項１０または１１に記載の細胞の識別方法。
【請求項１３】
前記細胞は、細胞表面抗体・抗原反応、細胞内の蛍光蛋白発現を含む蛍光処理が施された細胞であることを特徴とする請求項１０乃至１２のいずれか１項に記載の細胞の識別方法。
【請求項１４】
前記工程（ｃ）は、更に、前記透過光信号の変動から透過光情報を測定し、
前記工程（ｄ）は、更に、前記工程（ｃ）によって測定された前記透過光情報に基づいて、末梢血中の前記細胞を識別することを特徴とする請求項１０乃至１３のいずれか１項に記載の細胞の識別方法。
【請求項１５】
前記照射部から照射された前記照射光による前記細胞の散乱光及び／または蛍光を受光して散乱・蛍光信号として前記測定部に出力する、前記照射部と正対する位置以外の位置に設けられた第２の受光部を、更に用いて、
前記工程（ｂ）は、更に、前記第２の受光部により前記照射光による前記細胞の散乱光及び／または蛍光を受光して前記散乱・蛍光信号として前記測定部に出力し、
前記工程（ｃ）は、更に、前記工程（ｂ）によって出力された前記散乱・蛍光信号を前記測定部で入力し、当該測定部において前記細胞による前記散乱・蛍光信号の変動を測定し、
前記工程（ｄ）は、更に、前記工程（ｃ）によって測定された前記散乱・蛍光信号の変動に基づいて、末梢血中の前記細胞を識別することを特徴とする請求項１０乃至１４のいずれか１項に記載の細胞の識別方法。
【請求項１６】
前記工程（ｃ）は、更に、前記散乱・蛍光信号の変動から散乱・蛍光情報を測定し、
前記工程（ｄ）は、更に、前記工程（ｃ）によって測定された前記散乱・蛍光情報に基づいて、末梢血中の前記細胞を識別することを特徴とする請求項１０乃至１５のいずれか１項に記載の細胞の識別方法。
【請求項１７】
前記照射光は、非集光のシングルモード光であることを特徴とする請求項１０乃至１６のいずれか１項に記載の細胞の識別方法。
【請求項１８】
（ｅ）前記工程（ｄ）によって識別された末梢血中の前記細胞を、所定の容器に分取する工程を、更に備えていることを特徴とする請求項１０乃至１７のいずれか１項に記載の細胞の識別方法。
【発明の詳細な説明】
【技術分野】
【０００１】
本発明は、細胞の識別装置及び識別方法に関する。特に、流路内を流れる液体に分散させた循環癌細胞を透過光信号の変動に基づいて識別する細胞の識別装置及び識別方法に関する。
【背景技術】
【０００２】
サンプル（被検微小物）を分散させた液体が毛細管内を流れるようにして、光源からの光がこの液体流に照射されることで、液体流中のサンプルの光情報（蛍光情報）を測定することが提案されている（例えば、特許文献１参照）。【０００３】
また、近年、癌を早期発見するための方法として、末梢血中に転移した癌細胞、即ち循環癌細胞を検出する方法が注目されている。例えば、細胞表面の抗体・抗原反応を利用して、微細な鉄ビーズで標識した乳癌の癌細胞を磁気的に分離し、更にわずかに混入した白血球をＡＰＣ（活性化プロテインＣ）で標識して取り除くことにより、末梢血中に存在する乳癌の癌細胞だけを識別する方法が提案されている。
【先行技術文献】
【特許文献】
【０００４】
【特許文献１】特許第２９７３３８７号公報
【発明の概要】
【発明が解決しようとする課題】
【０００５】
しかしながら、上述した細胞表面の抗体・抗原反応を利用して、循環癌細胞を検出する方法では、乳癌、胃癌等、癌の種類に対応した抗体の開発が必要であり、現状、乳癌に対応した抗体は開発されているが、その他の癌に対応した抗体は開発されておらず、癌の種類に対応した抗体の開発をしなければならないという問題があった。【０００６】
そこで、本発明は、以上のような問題点を解決するためになされたもので、細胞表面の抗体・抗原反応を利用することなく、循環癌細胞を識別する細胞の識別装置及び識別方法を提供することを目的とする。
【課題を解決するための手段】
【０００７】
本発明者らは、上記の課題に対して鋭意検討した結果、末梢血中の細胞を分散させた液体に対して光を照射して検出した、該細胞による透過光信号の変動の極点の値に基づいて、循環癌細胞を識別できることを見出し、本発明を完成した。【０００８】
ここで、透過光とは、細胞を分散させた液体を通過した光と、細胞を通過した光や、細胞により反射・散乱・そして回折した光等、受光部で受光した光を透過光と呼び、透過光信号とは透過光を電気的信号に変換したものである。透過光を受光する任意領域では、光を常に受光しているが、細胞測定時に光受光パワー（透過光信号）に変動が起こる。その変動のピーク、幅、面積等を透過光情報と呼ぶ。【０００９】
即ち、本発明の第１の態様に係る細胞の識別装置は、末梢血中の異なる細胞や細胞種を識別する細胞の識別装置であって、末梢血中の前記細胞を分散させた液体に一定パワーのシングルモード光を照射光として照射する照射部と、前記照射光に対する前記細胞の相対位置が等速に変化する状態の前記液体に対して、前記照射部から照射された前記照射光による前記液体の透過光を受光して透過光信号として出力する、前記照射部と正対する位置に設けられた受光部と、前記受光部から出力された前記透過光信号を入力し、前記細胞による前記透過光信号の変動を測定する測定部と、前記測定部によって測定された前記細胞による前記透過光信号の変動における極点の値に基づいて、末梢血中の前記細胞を識別する識別部と、を備えていることを特徴とする。【００１０】
ここで、末梢血細胞とは、末梢血の中に存在する細胞である白血球、赤血球及び血小板のことであり、末梢血中の細胞とは、末梢血細胞である白血球、赤血球及び血小板と、末梢血細胞以外の細胞（白血球、赤血球及び血小板以外の細胞）のことである。また、白血球はリンパ球、単球、顆粒球に分けられる。また、異なる細胞種とは、細胞種類の違う細胞のことであり、異なる細胞とは、同じ細胞種であっても細胞周期等の細胞状態の異なる場合は別の細胞である識別した細胞のことである。【００１１】
本発明の第２の態様に係る細胞の識別装置は、上記の本発明の第１の態様に係る細胞の識別装置において、前記識別部が、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする。【００１２】
尚、透過光信号の変動において、極大点の値が基準値以上のときに、細胞が末梢血細胞以外の細胞であると識別すると記載しているが、測定開始時および測定終了時は透過光信号が基準値となっているため、これは含まない。この場合、極大点の値が基準値より大きいときに、細胞が末梢血細胞以外の細胞であると識別することによって、測定開始時および測定終了時の基準値が識別されないようにしても良い。【００１３】
本発明の第３の態様に係る細胞の識別装置は、上記の本発明の第１または第２の態様に係る細胞の識別装置において、前記識別部によって末梢血細胞以外の細胞であると識別された前記細胞が、循環癌細胞であることを特徴とする。
尚、循環癌細胞とは、末梢血中に転移した癌細胞のことである。【００１４】
本発明の第４の態様に係る細胞の識別装置は、上記の本発明の第１乃至第３のいずれか１つの態様に係る細胞の識別装置において、前記細胞が、細胞表面抗体・抗原反応、細胞内の蛍光蛋白発現を含む蛍光処理が施された細胞であることを特徴とする。【００１５】
本発明の第５の態様に係る細胞の識別装置は、上記の本発明の第１乃至第４のいずれか１つの態様に係る細胞の識別装置において、前記測定部は、更に、前記透過光信号の変動から透過光情報を測定し、前記識別部は、更に、前記測定部によって測定された前記透過光情報に基づいて、末梢血中の前記細胞を識別することを特徴とする。【００１６】
本発明の第６の態様に係る細胞の識別装置は、上記の本発明の第１乃至第５のいずれか１つの態様に係る細胞の識別装置において、前記照射部から照射された前記照射光による前記細胞の散乱光及び／または蛍光を受光して散乱・蛍光信号として出力する、前記照射部と正対する位置以外の位置に設けられた第２の受光部を、更に備え、前記測定部は、更に、前記第２の受光部から出力された前記散乱・蛍光信号を入力して、前記細胞による前記散乱・蛍光信号の変動を測定し、前記識別部は、更に、前記測定部によって測定された前記散乱・蛍光信号の変動に基づいて、末梢血中の前記細胞を識別することを特徴とする。【００１７】
本発明の第７の態様に係る細胞の識別装置は、上記の本発明の第１乃至第６のいずれか１つの態様に係る細胞の識別装置において、前記測定部は、更に、前記散乱・蛍光信号の変動から散乱・蛍光情報を測定し、前記識別部は、更に、前記測定部によって測定された前記透過・蛍光情報に基づいて、末梢血中の前記細胞を識別することを特徴とする。【００１８】
本発明の第８の態様に係る細胞の識別装置は、上記の本発明の第１乃至第７のいずれか１つの態様に係る細胞の識別装置において、前記照射光が、非集光のシングルモード光であることを特徴とする。【００１９】
本発明の第９の態様に係る細胞の識別装置は、上記の本発明の第１乃至第８のいずれか１つの態様に係る細胞の識別装置において、前記識別部によって識別された末梢血中の前記細胞を、所定の容器に分取する分取部を、更に備えていることを特徴とする。【００２０】
本発明の第１の態様に係る細胞の識別方法は、末梢血の細胞を分散させた液体に一定パワーのシングルモード光を照射光として照射する照射部と、前記照射部と正対する位置に設けられた、透過光を受光して透過光信号として測定部に出力する受光部と、を用いた、末梢血中の細胞を識別する細胞の識別方法であって、（ａ）前記照射光に対する前記細胞の相対位置が等速に変化する状態の前記液体に対して、前記照射部から前記照射光を照射する工程と、（ｂ）前記受光部により前記照射光による前記液体の透過光を受光して透過光信号として前記測定部に出力する工程と、（ｃ）前記工程（ｂ）によって出力された前記透過光信号を前記測定部で入力し、当該測定部において前記細胞による前記透過光信号の変動を測定する工程と、（ｄ）前記工程（ｃ）によって測定された前記細胞による前記透過光信号の変動における極点の値に基づいて、当末梢血中の前記細胞を識別する工程と、を備えていることを特徴とする。【００２１】
本発明の第２の態様に係る細胞の識別方法は、上記の本発明の第１の態様に係る細胞の識別方法において、前記工程（ｄ）が、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする。【００２２】
本発明の第３の態様に係る細胞の識別方法は、上記の本発明の第１または第２の態様に係る細胞の識別方法において、前記工程（ｄ）によって末梢血細胞以外の細胞であると識別された前記細胞が、循環癌細胞であることを特徴とする。【００２３】
本発明の第４の態様に係る細胞の識別方法は、上記の本発明の第１乃至第３のいずれか１つの態様に係る細胞の識別方法において、前記細胞が、細胞表面抗体・抗原反応、細胞内の蛍光蛋白発現を含む蛍光処理が施された細胞であることを特徴とする。【００２４】
本発明の第５の態様に係る細胞の識別方法は、上記の本発明の第１乃至第４のいずれか１つの態様に係る細胞の識別方法において、前記工程（ｃ）は、更に、前記透過光信号の変動から透過光情報を測定し、前記工程（ｄ）は、更に、前記工程（ｃ）によって測定された前記透過光情報に基づいて、末梢血中の前記細胞を識別することを特徴とする。【００２５】
本発明の第６の態様に係る細胞の識別方法は、上記の本発明の第１乃至第５のいずれか１つの態様に係る細胞の識別方法において、前記照射部から照射された前記照射光による前記細胞の散乱光及び／または蛍光を受光して散乱・蛍光信号として前記測定部に出力する、前記照射部と正対する位置以外の位置に設けられた第２の受光部を更に用いて、前記工程（ｂ）は、更に、前記第２の受光部により前記照射光による前記細胞の散乱光及び／または蛍光を受光して前記散乱・蛍光信号として前記測定部に出力し、前記工程（ｃ）は、更に、前記工程（ｂ）によって出力された前記散乱・蛍光信号を前記測定部で入力し、当該測定部において前記細胞による前記散乱・蛍光信号の変動を測定し、前記工程（ｄ）は、前記工程（ｃ）によって測定された前記散乱・蛍光信号の変動に基づいて、末梢血中の前記細胞を識別することを特徴とする。【００２６】
本発明の第７の態様に係る細胞の識別方法は、上記の本発明の第１乃至第６のいずれか１つの態様に係る細胞の識別方法において、前記工程（ｃ）は、更に、前記散乱・蛍光信号の変動から散乱・蛍光情報を測定し、前記工程（ｄ）は、更に、前記工程（ｃ）によって測定された前記散乱・蛍光情報に基づいて、末梢血中の前記細胞を識別することを特徴とする。【００２７】
本発明の第８の態様に係る細胞の識別方法は、上記の本発明の第１乃至第７のいずれか１つの態様に係る細胞の識別方法において、前記照射光が、非集光のシングルモード光であることを特徴とする。【００２８】
本発明の第９の態様に係る細胞の識別方法は、上記の本発明の第１乃至第８のいずれか１つの態様に係る細胞の識別方法において、（ｅ）前記工程（ｄ）によって識別された末梢血中の前記細胞を、所定の容器に分取する工程を、更に備えていることを特徴とする。
【発明の効果】
【００２９】
本発明の細胞の識別装置及び識別方法によれば、細胞表面の抗体・抗原反応を利用することなく、末梢血中に転移した癌細胞、即ち循環癌細胞を識別することかできる。
【図面の簡単な説明】
【００３０】
【図１】本発明の一実施形態に係る細胞の識別装置１０の概略側面図である。
【図２】図１のＫ−Ｋ線における断面図である。
【図３】本発明の一実施形態に係る細胞の識別装置１０の測定部４０によって測定された末梢血中の細胞に対する透過光信号ＳＧ１の変動波形の特徴を示した図である。
【図４】本発明の一実施形態に係る細胞の識別装置１０の測定部４０によって測定された、循環癌細胞に対する透過光信号ＳＧ１の変動結果の一例を示した図である。
【図５】本発明の一実施形態に係る細胞の識別装置１０を使用した細胞の識別処理手順を説明するためのフローチャート図である。
【図６】本発明の一実施形態に係る別の細胞の識別装置１０ａの概略側面図である。
【図７】図６のＫ−Ｋ線における断面図である。
【図８】本発明の一実施形態に係る別の細胞の識別装置１０ａを使用した細胞の識別処理手順を説明するためのフローチャート図である。
【発明を実施するための形態】
【００３１】
以下に本発明の実施の形態を図面に基づいて詳細に説明する。
図１は、本発明の一実施形態に係る細胞の識別装置１０の概略側面図であり、図２は、図１のＫ−Ｋ線における断面図である。
【００３２】
図１及び図２に示すように、本発明の一実施形態に係る細胞の識別装置１０は、サンプル流１１Ｓを流すためのキャピラリ１５と、一定パワーのシングルモード光を照射光Ｌとして照射する照射部２０と、透過光Ｌ１を受光し透過光信号ＳＧ１として出力する受光部３０と、受光部３０から出力された透過光信号ＳＧ１を入力して細胞Ｓによる透過光信号ＳＧ１の変動を測定する測定部４０と、細胞Ｓによる透過光信号ＳＧ１の変動に基づいて該細胞Ｓが末梢血細胞であるか否かを識別する識別部５０と、識別部５０の識別結果に基づいて細胞Ｓを所定の容器に分取する分取部６０と、キャピラリ１５にサンプル流１１Ｓを供給するための供給部７０と、を備えている。
【００３３】
供給部７０は、末梢血の中から取り出した細胞を分散させた液体１１に対して赤血球と血小板とを取り除く処理（以下、前処理と呼ぶ）を実行する。そして、前処理によって残った赤血球及び血小板以外の末梢血中の細胞を細胞Ｓとする。供給部７０は、細胞Ｓを分散させた液体１１を、サンプル流１１Ｓとしてシース流１９とともにＺ方向（図１においては上側から下側の方向）に流し、チューブ１４を介してキャピラリ１５に供給する。また、供給部７０は、サンプル流１１Ｓとシース流１９の圧力を調整して、キャピラリ１５内の液体１１に分散している細胞Ｓの速度や流量を調整する。
【００３４】
尚、上述した液体１１に分散している細胞Ｓは、末梢血の中から取り出したままの細胞であるが、末梢血の中から取り出した細胞に、核染色、細胞表面の抗体・抗原反応、細胞内の蛍光蛋白発現等を含む蛍光処理を施した細胞であっても良い。
【００３５】
また、前処理の手順は、例えば、まず、溶血剤と固定剤（ホルムアルデヒド）の両方が含まれるヒト専用の溶血剤（ＦＡＣＳ  Ｌｙｓｉｎｇ  Ｓｏｌｕｔｉｏｎ）をＭｉｌｌｉＱ（純水）で１０倍希釈し、１５ｍｌの試験管に６．５〜７ｍｌに入れる。次に、１ｍｌの全血検体（安定化した人赤血球及び白血球の浮遊液で、典型的な正常なヒト全血が持つ溶血、散乱光、抗原発現及び抗体染色性を有している）を試験管に加え、ピペットで穏やかに混和し、室温に１５〜３０分間保管する。その後、１０００ｒｐｍで５分間遠心分離し、上澄み液を吸引し、５ｍｌのリン酸緩衝食塩液（ＰＢＳ）を加えて再懸濁する。この遠心分離と再懸濁を３回繰り返したサンプルを室温で２時間、更に、４℃で２４時間保管する。最後に、サンプルを４０μｍメッシュのフィルタを通して前処理を終了する。
【００３６】
照射部２０は、キャピラリ１５内の液体１１に対して、一定パワーのシングルモード光を照射光Ｌとして照射する。例えば、照射部２０は、図１及び図２に示すように、レーザ光源２１と照射用の光ファイバ２２とにより構成されている。レーザ光源２１としては、例えば、レーザダイオードのようなものでる。尚、キャピラリ１５内の液体１１に対して照射光Ｌを照射するとき、照射部２０からの照射光Ｌに対する細胞Ｓの相対位置が等速に変化するように、供給部７０はサンプル流１１Ｓとシース流１９の圧力を調整する。ここで、照射光Ｌは、非集光のシングルモード光であることが好ましい。尚、シングルモード光は、ガウス分布の強度パターンをもっている。
【００３７】
受光部３０は、キャピラリ１５を介して照射部２０と正対する位置に設けられており、照射光Ｌによる液体１１の透過光Ｌ１を受光して、透過光信号ＳＧ１として測定部４０に出力する。例えば、受光部３０は、図１及び図２に示すように、受光用の光ファイバ３１と受光素子３２とによって構成されている。尚、受光素子３２としては、例えば、光電子増倍管、フォトディテクタのようなものがある。ここで、照射部２０の第１光軸Ｄ１と受光部３０の第２光軸Ｄ２とは、一致していることが好ましい。
【００３８】
尚、キャピラリ１５内の液体１１に対して照射光Ｌを照射するとき、照射光Ｌに対する細胞Ｓの相対位置が等速に変化するように、供給部７０はサンプル流１１Ｓとシース流１９の圧力を調整する。これにより、受光部３０は、照射光Ｌに対する細胞Ｓの相対位置が等速に変化する状態の液体１１の透過光Ｌ１を受光して、透過光信号ＳＧ１として測定部４０に出力する。
【００３９】
測定部４０は、受光部３０から出力された透過光信号ＳＧ１を入力して、細胞Ｓによる透過光信号ＳＧ１の変動を測定し、その測定結果を識別部５０へ出力する。ここで、細胞Ｓによる透過光信号ＳＧ１の変動は、細胞Ｓを構成している物質（例えば、細胞核等）の種類、形状、大きさ、個数等の違いによる、照射光Ｌが細胞Ｓを透過したときの光の回折現象、光の干渉現象、光の吸収現象、光の散乱現象等に起因する。
【００４０】
識別部５０は、測定部４０から入力した細胞Ｓによる透過光信号ＳＧ１の変動における極点の値に基づいて、細胞Ｓを識別する。即ち、細胞Ｓが末梢血細胞（即ち、白血球）であるか、末梢血細胞以外の細胞であるかを識別する。ここでは、細胞Ｓの識別を、透過光信号ＳＧ１の変動における極点の値のみで行っているが、極点の値と極点の個数とを組み合わせて細胞Ｓの識別を行っても良い。尚、識別処理の詳細は後述する。
【００４１】
分取部６０は、識別部５０によって識別された識別結果に基づいて、末梢血細胞を分取するときは、末梢血細胞である細胞Ｓを、末梢血細胞以外の細胞を分取するときは、末梢血細胞以外の細胞である細胞Ｓを、所定の容器（図示せず）に分取する。
【００４２】
次に、本発明の一実施形態に係る細胞の識別装置１０の識別部５０で実行される細胞Ｓの識別処理の詳細を、図３及び図４、並びに表１を参照して説明する。
【００４３】
図３は、本発明の一実施形態に係る細胞の識別装置１０の測定部４０によって測定された末梢血中の細胞に対する透過光信号ＳＧ１の変動波形の特徴を示した図である。
【００４４】
図３に示すように、末梢血中の細胞に対する透過光信号ＳＧ１の変動波形は、図３（ａ）に示すような極小点を１つ有する第１波形パターン、図３（ｂ）に示すような極小点を２つ有し、極大点の値が基準値Ａ以下である第２波形パターン、図３（ｃ）に示すような極小点を３つ以上有し、極大点の値が基準値Ａ以下である第３波形パターン、及び、図３（ｄ）に示すような極大点の値が基準値Ａより大きい場合である第４波形パターンの４つの波形パターンに分類することができる。ここで、細胞Ｓの無い状態の液体１１による透過光信号ＳＧ１の値を基準値Ａとする。尚、細胞Ｓによる透過光信号ＳＧ１の測定終了時近傍に起こるオーバーシュートによる変動は、細胞Ｓによる透過光信号ＳＧ１の変動の極大点から除外する。
【００４５】
また、極点の値のみに着目すると、第４波形パターンのみが、極点の値が基準値Ａより大きい値を有しており、第１波形パターン、第２波形パターン及び第３波形パターンは、極点の値がすべて基準値Ａ以下である。
【００４６】
次に、末梢血中の白血球に対する透過光信号ＳＧ１の変動波形を、本発明の一実施形態に係る細胞の識別装置１０の測定部４０によって測定した結果を表１に示す。表１は、リンパ球、単球、顆粒球が混在した白血球とリンパ球のみの白血球とに対する上記の４つの波形パターンの測定割合（％）を示したものである。
【００４７】
【表１】
2011121751.tif 000003
表１に示すように、リンパ球、単球、顆粒球が混在した白血球に対する透過光信号ＳＧ１の変動波形の場合も、リンパ球のみの白血球に対する透過光信号ＳＧ１の変動波形の場合もともに、第１波形パターンの割合が一番多く、次に第２波形パターン、次に第３波形パターンの順に割合が少なくなり、第４波形パターンは測定されなかった。即ち、白血球に対する透過光信号ＳＧ１の変動波形において、極点の値がすべて基準値Ａ以下であった。
【００４８】
また、癌細胞に対する透過光信号ＳＧ１の変動波形を、本発明の一実施形態に係る細胞の識別装置１０の測定部４０によって測定すると、例えば、ＨｅＬａ細胞（子宮頸癌）の場合では第４波形パターンが５２．４％測定され、ヒト膵癌細胞では３６．７％測定された。即ち、癌細胞に対する透過光信号ＳＧ１の変動波形において、基準値Ａより大きい値をもつ極点があった。末梢血中の細胞を測定した際に、第４波形パターンが検出された場合、検出された２〜３倍の循環癌細胞が末梢血中に存在することが推測される。
【００４９】
図４は、本発明の一実施形態に係る細胞の識別装置１０の測定部４０によって測定された、循環癌細胞に対する透過光信号ＳＧ１の変動結果の一例を示した図である。
【００５０】
以上の結果から、末梢血中の細胞Ｓに対する透過光信号ＳＧ１の変動波形を、本発明の一実施形態に係る細胞の識別装置１０の測定部４０によって測定したとき、波形パターンが第１波形パターン、第２波形パターン及び第３波形パターンの中のいずれかの波形パターンである場合は、細胞Ｓが白血球であること、即ち、末梢血細胞であることが分かる。また、波形パターンが第４波形パターンの場合は、末梢血細胞以外の細胞であること、即ち、細胞Ｓが循環癌細胞であることが分かる。
【００５１】
従って、本発明の一実施形態に係る細胞の識別装置１０の識別部５０は、上述した４つの波形パターンを特徴付ける透過光信号ＳＧ１の変動における極点の値に基づいて、細胞Ｓが末梢血細胞であるか、また、細胞Ｓが末梢血細胞以外の細胞であるかを識別する。具体的には、図３及び図４に示したように、細胞Ｓの無い状態の液体１１による透過光信号ＳＧ１の値を基準値Ａとして、細胞Ｓによる透過光信号ＳＧ１の変動における極大点の値と基準値Ａとを比較し、極大点の値が基準値Ａ以下であるとき細胞Ｓは末梢血細胞（白血球）であると識別し、極大点の値が基準値Ａより大きいとき細胞Ｓは末梢血細胞以外の細胞（循環癌細胞）であると識別する。
【００５２】
また、上述した測定部４０は、細胞Ｓによる透過光信号ＳＧ１の変動を測定しているだけであるが、透過光信号ＳＧ１の変動から、透過光信号ＳＧ１の変動のピーク、幅、面積等である透過光情報を更に測定するようにしても良い。そして、そのとき、上述した識別部５０は、測定部４０によって測定された透過光情報も識別条件のパラメータとして追加して用いて、細胞Ｓを識別するようにしても良い。
【００５３】
以上のことから、本発明の一実施形態に係る細胞の識別装置１０は、細胞表面の抗体・抗原反応を利用することなく、末梢血中の細胞Ｓが末梢血細胞であるか末梢血細胞以外の細胞であるかを識別することができる。即ち、細胞Ｓが、末梢血細胞であるか循環癌細胞であるかを識別することができる。
【００５４】
次に、本発明の一実施形態に係る細胞の識別装置１０を使用した細胞の識別処理手順を、図５を参照して簡単に説明する。
【００５５】
図５は、本発明の一実施形態に係る細胞の識別装置１０を使用した細胞の識別処理手順を説明するためのフローチャート図である。
【００５６】
図５に示すように、まず、照射部２０からの照射光Ｌに対する細胞Ｓの相対位置が等速に変化するように調整され液体１１をサンプル流１１Ｓとして、供給部７０からキャピラリ１５に供給する（ステップ１：Ｓ１０１）。尚、細胞Ｓは前処理が施された末梢血の中から取り出した細胞である。
【００５７】
次に、キャピラリ１５内の液体１１に対して照射部２０から照射光Ｌを照射する（ステップ２：Ｓ１０２）。次に、受光部３０によって、照射光Ｌによる液体１１の透過光Ｌ１を受光して、透過光信号ＳＧ１として測定部４０に出力する（ステップ３：Ｓ１０３）。次に、受光部３０から出力された透過光信号ＳＧ１を測定部４０で入力し、細胞Ｓによる透過光信号ＳＧ１の変動を測定部４０において測定する（ステップ４：Ｓ１０４）。
【００５８】
次に、測定部４０によって測定された細胞Ｓによる透過光信号ＳＧ１の変動における極点の値に基づいて、細胞Ｓを識別する（ステップ５：Ｓ１０５）。即ち、細胞Ｓが末梢血細胞（即ち、白血球）であるか、末梢血細胞以外の細胞であるかを識別部５０において識別する。具体的には、細胞Ｓの無い状態の液体１１による透過光信号ＳＧ１の値を基準値Ａとして、細胞Ｓによる透過光信号ＳＧ１の変動における極大点の値と基準値Ａとを比較し、極大点の値が基準値Ａ以下であるとき細胞Ｓは末梢血細胞（白血球）であると識別し、極大点の値が基準値Ａより大きいとき細胞Ｓは末梢血細胞以外の細胞（癌細胞）であると識別する。ここでは、細胞Ｓの識別を、透過光信号ＳＧ１の変動における極点の値のみで行っているが、極点の値と極点の個数とを組み合わせて細胞Ｓの識別を行っても良い。
【００５９】
最後に、識別部５０によって識別された識別結果に基づいて、末梢血細胞を分取するときは、末梢血細胞である細胞Ｓを、末梢血細胞以外の細胞を分取するときは、末梢血細胞以外の細胞である細胞Ｓを、所定の容器（図示せず）に分取して（ステップ６：Ｓ１０６）、本発明の一実施形態に係る細胞の識別装置１０を使用した細胞の識別処理手順を終了する。
【００６０】
尚、上述したステップ４：Ｓ１０４では、細胞Ｓによる透過光信号ＳＧ１の変動を測定しているだけであるが、透過光信号ＳＧ１の変動から、透過光信号ＳＧ１の変動のピーク、幅、面積等である透過光情報を更に測定するようにしても良い。そして、そのとき、上述したステップ５：Ｓ１０５では、ステップ４：Ｓ１０４によって測定された透過光情報も識別条件のパラメータとして追加して用いて、細胞Ｓを識別するようにしても良い。
【００６１】
次に、本発明の一実施形態に係る別の細胞の識別装置について、図６及び図７を参照して説明する。
【００６２】
図６は、本発明の一実施形態に係る別の細胞の識別装置１０ａの概略側面図であり、図７は、図６のＫ−Ｋ線における断面図である。
【００６３】
図６及び図７に示す本発明の一実施形態に係る別の細胞の識別装置１０ａと、図１及び図２に示した本発明の一実施形態に係る細胞の識別装置１０との相違点、照射光Ｌによる細胞Ｓの側方散乱光Ｌ２を受光して、散乱・蛍光信号ＳＧ２として測定部４０に出力する第２受光部８０を備えている点である。
【００６４】
例えば、第２受光部８０は、図６及び図７に示すように、受光用の光ファイバ８１と受光素子８２によって構成されている。尚、受光素子８２としては、例えば、光電子増倍管、フォトディテクタのようなものがある。ここで、第２受光部８０の第３光軸Ｄ３は、照射部２０の第１光軸Ｄ１及び受光部３０の第２光軸Ｄ２に対して、略９０度の角度をもっており、照射部２０の第１光軸Ｄ１及び受光部３０の第２光軸Ｄ２と同一平面上において、第２受光部８０がある壁面の略中心に配置されている。ここでは、第２受光部８０は、側方散乱光Ｌ２を受光して、散乱・蛍光信号ＳＧ２として測定部４０に出力するようにしているが、細胞Ｓの蛍光を受光し、蛍光信号として測定部４０に出力しても良い。
【００６５】
また、細胞の識別装置１０ａの測定部４０は、受光部３０より送られた透過光信号ＳＧ１から、細胞Ｓによる透過光信号ＳＧ１の変動を測定し、識別部５０へ送る。また、第２受光部８０より送られた散乱・蛍光信号ＳＧ２から、細胞Ｓによる散乱・蛍光信号ＳＧ２を測定し、識別部５０へ送る。
【００６６】
細胞の識別装置１０ａの識別部５０は、測定部４０から送られた細胞Ｓによる透過光信号ＳＧ１の変動における極点の値及び細胞Ｓによる散乱・蛍光信号ＳＧ２の変動に基づいて、細胞Ｓを識別する。即ち、細胞Ｓが末梢血細胞（即ち、白血球）であるか、末梢血細胞以外の細胞であるかを識別する。ここで、細胞Ｓの識別を、透過光信号ＳＧ１の変動における極点の値及び細胞Ｓによる散乱・蛍光信号ＳＧ２の変動に基づいて行っているが、極点の値と極点の個数、並びに、細胞Ｓによる散乱・蛍光信号ＳＧ２の変動に基づいて、細胞Ｓの識別を行っても良い。
【００６７】
また、上述した測定部４０は、細胞Ｓによる透過光信号ＳＧ１の変動と散乱・蛍光信号ＳＧ２とを測定しているだけであるが、透過光信号ＳＧ１の変動から、透過光信号ＳＧ１の変動のピーク、幅、面積等である透過光情報を更に測定し、散乱・蛍光信号ＳＧ２の変動から、散乱・蛍光信号ＳＧ２の変動のピーク、幅、面積等である散乱・蛍光情報を更に測定しようにしても良い。そして、そのとき、上述した識別部５０は、測定部４０によって測定された透過光情報や散乱・蛍光情報も識別条件のパラメータとして追加して用いて、細胞Ｓを識別するようにしても良い。
【００６８】
以上のことから、本発明の一実施形態に係る別の細胞の識別装置１０ａは、細胞表面の抗体・抗原反応を利用することなく、末梢血中の細胞Ｓが末梢血細胞であるか末梢血細胞以外の細胞であるかを識別することができる。また、細胞Ｓによる散乱・蛍光信号ＳＧ２の変動が追加されたことから、本発明の一実施形態に係る細胞の識別装置１０よりも詳細に、細胞Ｓが末梢血細胞であるか末梢血細胞以外の細胞であるかを識別することができる。
【００６９】
次に、本発明の一実施形態に係る別の細胞の識別装置１０ａを使用した細胞の識別処理手順を、図８を参照して簡単に説明する。
図８は、本発明の一実施形態に係る別の細胞の識別装置１０ａを使用した細胞の識別処理手順を説明するためのフローチャート図である。
【００７０】
図８に示すように、まず、照射部２０からの照射光Ｌに対する細胞Ｓの相対位置が等速に変化するように調整され液体１１をサンプル流１１Ｓとして、供給部７０からキャピラリ１５に供給する（ステップ１：Ｓ２０１）。尚、細胞Ｓは前処理が施された末梢血の中から取り出した細胞である。
【００７１】
次に、キャピラリ１５内の液体１１に対して照射部２０から照射光Ｌを照射する（ステップ２：Ｓ２０２）。次に、受光部３０によって、照射光Ｌによる液体１１の透過光Ｌ１を受光して、透過光信号ＳＧ１として測定部４０に出力するとともに、第２受光部８０によって、照射光Ｌによる細胞Ｓの側方散乱光Ｌ２を受光して、散乱・蛍光信号ＳＧ２として測定部４０に出力する（ステップ３：Ｓ２０３）。ここでは、第２受光部８０は、側方散乱光Ｌ２を受光して、散乱・蛍光信号ＳＧ２として測定部４０に出力するようにしているが、細胞Ｓの蛍光を受光し、蛍光信号として測定部４０に出力しても良い。
【００７２】
次に、受光部３０から出力された透過光信号ＳＧ１を測定部４０で入力して、細胞Ｓによる透過光信号ＳＧ１の変動を測定部４０において測定するとともに、第２受光部８０から出力された散乱・蛍光信号ＳＧ２を測定部４０で入力して、細胞Ｓによる散乱・蛍光信号ＳＧ２の変動を測定部４０において測定する（ステップ４：Ｓ２０４）。
【００７３】
次に、測定部４０によって測定された細胞Ｓによる透過光信号ＳＧ１の変動における極点の値及び細胞Ｓによる散乱・蛍光信号ＳＧ２の変動に基づいて、細胞Ｓを識別する（ステップ５：Ｓ２０５）。即ち、細胞Ｓが末梢血細胞（即ち、白血球）であるか、末梢血細胞以外の細胞であるかを識別部５０ａにおいて識別する。ここで、細胞Ｓの識別を、透過光信号ＳＧ１の変動における極点の値及び細胞Ｓによる散乱・蛍光信号ＳＧ２の変動に基づいて行っているが、極点の値と極点の個数、並びに、細胞Ｓによる散乱・蛍光信号ＳＧ２の変動に基づいて、細胞Ｓの識別を行っても良い。
【００７４】
最後に、識別部５０によって識別された識別結果に基づいて、末梢血細胞を分取するときは、末梢血細胞である細胞Ｓを、末梢血細胞以外の細胞を分取するときは、末梢血細胞以外の細胞である細胞Ｓを、所定の容器（図示せず）に分取して（ステップ６：Ｓ２０６）、発明の一実施形態に係る別の細胞の識別装置１０ａを使用した細胞の識別処理手順を終了する。
【００７５】
また、上述したステップ４：Ｓ２０４は、細胞Ｓによる透過光信号ＳＧ１の変動と散乱・蛍光信号ＳＧ２とを測定しているだけであるが、透過光信号ＳＧ１の変動から、透過光信号ＳＧ１の変動のピーク、幅、面積等である透過光情報を更に測定し、散乱・蛍光信号ＳＧ２の変動から、散乱・蛍光信号ＳＧ２の変動のピーク、幅、面積等である散乱・蛍光情報を更に測定しようにしても良い。そして、そのとき、上述したステップ５：Ｓ２０５は、ステップ４：Ｓ２０４によって測定された透過光情報や散乱・蛍光情報も識別条件のパラメータとして追加して用いて、細胞Ｓを識別する細胞Ｓを識別するようにしても良い。
【符号の説明】
【００７６】
１０、１０ａ：細胞の識別装置
１１：液体
１１Ｓ：サンプル流
１５：キャピラリ
１９：シース流
２０：照射部
３０：受光部
４０：測定部
５０：識別部
６０：分取部
７０：供給部
８０：第２受光部
Ｓ：細胞
Ｌ：照射光
ＳＧ１：透過光信号
ＳＧ２：散乱・蛍光信号
【図１】
2011121751.tif 000004
【図２】
2011121751.tif 000005
【図３】
2011121751.tif 000006
【図４】
2011121751.tif 000007
【図５】
2011121751.tif 000008
【図６】
2011121751.tif 000009
【図７】
2011121751.tif 000010
【図８】
2011121751.tif 000011
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
末梢血中の異なる細胞や細胞種を識別する細胞の識別装置であって、
末梢血中の前記細胞を分散させた液体に照射光を照射する照射部と、
前記照射光に対する前記細胞の相対位置が等速に変化する状態の前記液体に対して、前記照射部から照射された前記照射光による前記液体の透過光を受光して透過光信号として出力する、前記照射部と正対する位置に設けられた受光部と、
前記受光部から出力された前記透過光信号を入力し、前記細胞による前記透過光信号の変動を測定する測定部と、
前記測定部によって測定された前記細胞による前記透過光信号の変動における極点の値に基づいて、末梢血中の前記細胞を識別する識別部と、
を備え、
前記識別部は、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする細胞の識別装置。
【請求項２】
前記識別部によって末梢血細胞以外の細胞であると識別された前記細胞は、循環癌細胞であることを特徴とする請求項１に記載の細胞の識別装置。
【請求項３】
前記細胞は、細胞表面抗体・抗原反応、細胞内の蛍光蛋白発現を含む蛍光処理が施された細胞であることを特徴とする請求項１または２に記載の細胞の識別装置。
【請求項４】
前記測定部は、更に、前記透過光信号の変動から透過光情報を測定し、
前記識別部は、更に、前記測定部によって測定された前記透過光情報に基づいて、末梢血中の前記細胞を識別することを特徴とする請求項１乃至３のいずれか１項に記載の細胞の識別装置。
【請求項５】
前記照射部から照射された前記照射光による前記細胞の散乱光及び／または蛍光を受光して散乱・蛍光信号として出力する、前記照射部と正対する位置以外の位置に設けられた第２の受光部を、更に備え、
前記測定部は、更に、前記第２の受光部から出力された前記散乱・蛍光信号を入力して、前記細胞による前記散乱・蛍光信号の変動を測定し、
前記識別部は、更に、前記測定部によって測定された前記散乱・蛍光信号の変動に基づいて、末梢血中の前記細胞を識別することを特徴とする請求項１乃至４のいずれか１項に記載の細胞の識別装置。
【請求項６】
前記測定部は、更に、前記散乱・蛍光信号の変動から散乱・蛍光情報を測定し、
前記識別部は、更に、前記測定部によって測定された前記透過・蛍光情報に基づいて、末梢血中の前記細胞を識別することを特徴とする請求項１乃至５のいずれか１項に記載の細胞の識別装置。
【請求項７】
前記照射光は、非集光のシングルモード光であることを特徴とする請求項１乃至６のいずれか１項に記載の細胞の識別装置。
【請求項８】
前記識別部によって識別された末梢血中の前記細胞を、所定の容器に分取する分取部を、更に備えていることを特徴とする請求項１乃至７のいずれか１項に記載の細胞の識別装置。
【請求項９】
末梢血中の細胞を分散させた液体に照射光を照射する照射部と、前記照射部と正対する位置に設けられた、透過光を受光して透過光信号として測定部に出力する受光部と、を用いた、末梢血中の細胞を識別する細胞の識別方法であって、
（ａ）前記照射光に対する前記細胞の相対位置が等速に変化する状態の前記液体に対して、前記照射部から前記照射光を照射する工程と、
（ｂ）前記受光部により前記照射光による前記液体の透過光を受光して透過光信号として前記測定部に出力する工程と、
（ｃ）前記工程（ｂ）によって出力された前記透過光信号を前記測定部で入力し、当該測定部において前記細胞による前記透過光信号の変動を測定する工程と、
（ｄ）前記工程（ｃ）によって測定された前記細胞による前記透過光信号の変動における極点の値に基づいて、末梢血中の前記細胞を識別する工程と、
を備え、
前記工程（ｄ）は、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする細胞の識別方法。
【請求項１０】
前記工程（ｄ）によって末梢血細胞以外の細胞であると識別された前記細胞は、循環癌細胞であることを特徴とする請求項９に記載の細胞の識別方法。
【請求項１１】
前記細胞は、細胞表面抗体・抗原反応、細胞内の蛍光蛋白発現を含む蛍光処理が施された細胞であることを特徴とする請求項９または１０に記載の細胞の識別方法。
【請求項１２】
前記工程（ｃ）は、更に、前記透過光信号の変動から透過光情報を測定し、
前記工程（ｄ）は、更に、前記工程（ｃ）によって測定された前記透過光情報に基づいて、末梢血中の前記細胞を識別することを特徴とする請求項９乃至１１のいずれか１項に記載の細胞の識別方法。
【請求項１３】
前記照射部から照射された前記照射光による前記細胞の散乱光及び／または蛍光を受光して散乱・蛍光信号として前記測定部に出力する、前記照射部と正対する位置以外の位置に設けられた第２の受光部を、更に用いて、
前記工程（ｂ）は、更に、前記第２の受光部により前記照射光による前記細胞の散乱光及び／または蛍光を受光して前記散乱・蛍光信号として前記測定部に出力し、
前記工程（ｃ）は、更に、前記工程（ｂ）によって出力された前記散乱・蛍光信号を前記測定部で入力し、当該測定部において前記細胞による前記散乱・蛍光信号の変動を測定し、
前記工程（ｄ）は、更に、前記工程（ｃ）によって測定された前記散乱・蛍光信号の変動に基づいて、末梢血中の前記細胞を識別することを特徴とする請求項９乃至１２のいずれか１項に記載の細胞の識別方法。
【請求項１４】
前記工程（ｃ）は、更に、前記散乱・蛍光信号の変動から散乱・蛍光情報を測定し、
前記工程（ｄ）は、更に、前記工程（ｃ）によって測定された前記散乱・蛍光情報に基づいて、末梢血中の前記細胞を識別することを特徴とする請求項９乃至１３のいずれか１項に記載の細胞の識別方法。
【請求項１５】
前記照射光は、非集光のシングルモード光であることを特徴とする請求項９乃至１４のいずれか１項に記載の細胞の識別方法。
【請求項１６】
（ｅ）前記工程（ｄ）によって識別された末梢血中の前記細胞を、所定の容器に分取する工程を、更に備えていることを特徴とする請求項９乃至１５のいずれか１項に記載の細胞の識別方法。
【手続補正２】
【補正対象書類名】明細書
【補正対象項目名】０００９
【補正方法】変更
【補正の内容】
【０００９】
即ち、本発明の第１の態様に係る細胞の識別装置は、末梢血中の異なる細胞や細胞種を識別する細胞の識別装置であって、末梢血中の前記細胞を分散させた液体に一定パワーのシングルモード光を照射光として照射する照射部と、前記照射光に対する前記細胞の相対位置が等速に変化する状態の前記液体に対して、前記照射部から照射された前記照射光による前記液体の透過光を受光して透過光信号として出力する、前記照射部と正対する位置に設けられた受光部と、前記受光部から出力された前記透過光信号を入力し、前記細胞による前記透過光信号の変動を測定する測定部と、前記測定部によって測定された前記細胞による前記透過光信号の変動における極点の値に基づいて、末梢血中の前記細胞を識別する識別部と、を備え、前記識別部が、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
本発明の第２の態様に係る細胞の識別装置は、上記の本発明の第１の態様に係る細胞の識別装置において、前記識別部によって末梢血細胞以外の細胞であると識別された前記細胞が、循環癌細胞であることを特徴とする。
尚、循環癌細胞とは、末梢血中に転移した癌細胞のことである。
【手続補正５】
【補正対象書類名】明細書
【補正対象項目名】００１４
【補正方法】変更
【補正の内容】
【００１４】
本発明の第３の態様に係る細胞の識別装置は、上記の本発明の第１または第２の態様に係る細胞の識別装置において、前記細胞が、細胞表面抗体・抗原反応、細胞内の蛍光蛋白発現を含む蛍光処理が施された細胞であることを特徴とする。
【手続補正６】
【補正対象書類名】明細書
【補正対象項目名】００１５
【補正方法】変更
【補正の内容】
【００１５】
本発明の第４の態様に係る細胞の識別装置は、上記の本発明の第１乃至第３のいずれか１つの態様に係る細胞の識別装置において、前記測定部は、更に、前記透過光信号の変動から透過光情報を測定し、前記識別部は、更に、前記測定部によって測定された前記透過光情報に基づいて、末梢血中の前記細胞を識別することを特徴とする。
【手続補正７】
【補正対象書類名】明細書
【補正対象項目名】００１６
【補正方法】変更
【補正の内容】
【００１６】
本発明の第５の態様に係る細胞の識別装置は、上記の本発明の第１乃至第４のいずれか１つの態様に係る細胞の識別装置において、前記照射部から照射された前記照射光による前記細胞の散乱光及び／または蛍光を受光して散乱・蛍光信号として出力する、前記照射部と正対する位置以外の位置に設けられた第２の受光部を、更に備え、前記測定部は、更に、前記第２の受光部から出力された前記散乱・蛍光信号を入力して、前記細胞による前記散乱・蛍光信号の変動を測定し、前記識別部は、更に、前記測定部によって測定された前記散乱・蛍光信号の変動に基づいて、末梢血中の前記細胞を識別することを特徴とする。
【手続補正８】
【補正対象書類名】明細書
【補正対象項目名】００１７
【補正方法】変更
【補正の内容】
【００１７】
本発明の第６の態様に係る細胞の識別装置は、上記の本発明の第１乃至第５のいずれか１つの態様に係る細胞の識別装置において、前記測定部は、更に、前記散乱・蛍光信号の変動から散乱・蛍光情報を測定し、前記識別部は、更に、前記測定部によって測定された前記透過・蛍光情報に基づいて、末梢血中の前記細胞を識別することを特徴とする。
【手続補正９】
【補正対象書類名】明細書
【補正対象項目名】００１８
【補正方法】変更
【補正の内容】
【００１８】
本発明の第７の態様に係る細胞の識別装置は、上記の本発明の第１乃至第６のいずれか１つの態様に係る細胞の識別装置において、前記照射光が、非集光のシングルモード光であることを特徴とする。
【手続補正１０】
【補正対象書類名】明細書
【補正対象項目名】００１９
【補正方法】変更
【補正の内容】
【００１９】
本発明の第８の態様に係る細胞の識別装置は、上記の本発明の第１乃至第７のいずれか１つの態様に係る細胞の識別装置において、前記識別部によって識別された末梢血中の前記細胞を、所定の容器に分取する分取部を、更に備えていることを特徴とする。
【手続補正１１】
【補正対象書類名】明細書
【補正対象項目名】００２０
【補正方法】変更
【補正の内容】
【００２０】
本発明の第１の態様に係る細胞の識別方法は、末梢血の細胞を分散させた液体に一定パワーのシングルモード光を照射光として照射する照射部と、前記照射部と正対する位置に設けられた、透過光を受光して透過光信号として測定部に出力する受光部と、を用いた、末梢血中の細胞を識別する細胞の識別方法であって、（ａ）前記照射光に対する前記細胞の相対位置が等速に変化する状態の前記液体に対して、前記照射部から前記照射光を照射する工程と、（ｂ）前記受光部により前記照射光による前記液体の透過光を受光して透過光信号として前記測定部に出力する工程と、（ｃ）前記工程（ｂ）によって出力された前記透過光信号を前記測定部で入力し、当該測定部において前記細胞による前記透過光信号の変動を測定する工程と、（ｄ）前記工程（ｃ）によって測定された前記細胞による前記透過光信号の変動における極点の値に基づいて、当末梢血中の前記細胞を識別する工程と、を備え、前記工程（ｄ）は、前記細胞のない状態の前記液体による前記透過光信号を基準値としたとき、前記細胞による前記透過光信号の変動における極大点の値と前記基準値とを比較し、前記極大点の値が前記基準値以上のときに、当該細胞が末梢血細胞以外の細胞であると識別することを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明の第２の態様に係る細胞の識別方法は、上記の本発明の第１の態様に係る細胞の識別方法において、前記工程（ｄ）によって末梢血細胞以外の細胞であると識別された前記細胞が、循環癌細胞であることを特徴とする。
【手続補正１４】
【補正対象書類名】明細書
【補正対象項目名】００２３
【補正方法】変更
【補正の内容】
【００２３】
本発明の第３の態様に係る細胞の識別方法は、上記の本発明の第１または第２の態様に係る細胞の識別方法において、前記細胞が、細胞表面抗体・抗原反応、細胞内の蛍光蛋白発現を含む蛍光処理が施された細胞であることを特徴とする。
【手続補正１５】
【補正対象書類名】明細書
【補正対象項目名】００２４
【補正方法】変更
【補正の内容】
【００２４】
本発明の第４の態様に係る細胞の識別方法は、上記の本発明の第１乃至第３のいずれか１つの態様に係る細胞の識別方法において、前記工程（ｃ）は、更に、前記透過光信号の変動から透過光情報を測定し、前記工程（ｄ）は、更に、前記工程（ｃ）によって測定された前記透過光情報に基づいて、末梢血中の前記細胞を識別することを特徴とする。
【手続補正１６】
【補正対象書類名】明細書
【補正対象項目名】００２５
【補正方法】変更
【補正の内容】
【００２５】
本発明の第５の態様に係る細胞の識別方法は、上記の本発明の第１乃至第４のいずれか１つの態様に係る細胞の識別方法において、前記照射部から照射された前記照射光による前記細胞の散乱光及び／または蛍光を受光して散乱・蛍光信号として前記測定部に出力する、前記照射部と正対する位置以外の位置に設けられた第２の受光部を更に用いて、前記工程（ｂ）は、更に、前記第２の受光部により前記照射光による前記細胞の散乱光及び／または蛍光を受光して前記散乱・蛍光信号として前記測定部に出力し、前記工程（ｃ）は、更に、前記工程（ｂ）によって出力された前記散乱・蛍光信号を前記測定部で入力し、当該測定部において前記細胞による前記散乱・蛍光信号の変動を測定し、前記工程（ｄ）は、前記工程（ｃ）によって測定された前記散乱・蛍光信号の変動に基づいて、末梢血中の前記細胞を識別することを特徴とする。
【手続補正１７】
【補正対象書類名】明細書
【補正対象項目名】００２６
【補正方法】変更
【補正の内容】
【００２６】
本発明の第６の態様に係る細胞の識別方法は、上記の本発明の第１乃至第５のいずれか１つの態様に係る細胞の識別方法において、前記工程（ｃ）は、更に、前記散乱・蛍光信号の変動から散乱・蛍光情報を測定し、前記工程（ｄ）は、更に、前記工程（ｃ）によって測定された前記散乱・蛍光情報に基づいて、末梢血中の前記細胞を識別することを特徴とする。
【手続補正１８】
【補正対象書類名】明細書
【補正対象項目名】００２７
【補正方法】変更
【補正の内容】
【００２７】
本発明の第７の態様に係る細胞の識別方法は、上記の本発明の第１乃至第６のいずれか１つの態様に係る細胞の識別方法において、前記照射光が、非集光のシングルモード光であることを特徴とする。
【手続補正１９】
【補正対象書類名】明細書
【補正対象項目名】００２８
【補正方法】変更
【補正の内容】
【００２８】
本発明の第８の態様に係る細胞の識別方法は、上記の本発明の第１乃至第７のいずれか１つの態様に係る細胞の識別方法において、（ｅ）前記工程（ｄ）によって識別された末梢血中の前記細胞を、所定の容器に分取する工程を、更に備えていることを特徴とする。
【国際調査報告】
2011121751.tif 000012
2011121751.tif 000013